(57)【要約】【課題】工具を用いることなく容易に壁に取り付けることができ、また、取り付けによって壁にねじ穴が生じることのないリモコンを提供する。【解決手段】リモコン１の背面の上半側に、上下方向に細長く延在した凹所２が設けられており、この凹所２内に取付片１０が取り付けられている。この取付片１０は、回動体１１と、軸支部１２と、ピン１３と、重り１５とを有している。回動体１１の下端側は表面側に突出して凸部１４となっており、該凸部１４の表面は湾曲面１４ａとなっている。このリモコン１の背面を壁２０に押し付けると、取付片１０は、その凸部１４が凹所２内に退避し、そのピン１３が凹所２から突出する方向に回動し、ピン１３が壁２０に刺し込まれる。【選択図】図２
2006101165.tif 000002
【特許請求の範囲】
【請求項１】
リモコンを壁に取り付けるための取付片を背面に備えたリモコンであって、
該取付片は、長手方向の途中部分が軸心方向を該背面と平行方向とした軸支部を介して該リモコンに回動可能に取り付けられた回動体と、
該回動体の長手方向の一端側に設けられた、壁に刺入可能なピンとを有し、
該回動体は、その他端側が該背面から突出した姿勢と背面内に収容された退避姿勢とをとりうるものであり、該リモコンを壁に取り付けるときに該回動体の該他端側が壁面に当接して退避し、これにより回動体の一端側が壁面に向って移動し、該ピンが壁に刺入されるものであることを特徴とするリモコン。
【請求項２】
請求項１において、該回動体は、該一端側が軸支部よりも上側となるように配置されており、
該ピンは、該リモコンを鉛直な壁に取り付けたときに基端側から先端側に向って下向きに傾斜するように該回動体に設けられていることを特徴とするリモコン。
【請求項３】
請求項２において、該リモコンの背面に凹所が設けられ、該回動体の大部分が該凹所内に配置されており、該リモコンの背面を鉛直としたときに該ピンが該凹所内に退避すると共に該回動体の該他端側が該リモコンの背面から突出するように該回動体の重心が設定されていることを特徴とするリモコン。
【請求項４】
請求項１において、該取付片は複数個設けられており、該取付片の少なくとも１つの第１の取付片は、回動体の長手方向が他の少なくとも１つの第２の取付片の回動体の長手方向と反対方向を指向するように設けられていることを特徴とするリモコン。
【請求項５】
請求項１ないし４のいずれか１項において、該他端側の壁面に当接する部分が湾曲面よりなることを特徴とするリモコン。
【発明の詳細な説明】
【技術分野】
【０００１】
本発明は、便器の温水洗浄装置等に用いられるリモコンに係り、特に壁に取り付けるための取付片を備えたリモコンに関する。
【背景技術】
【０００２】
温水洗浄装置用のリモコンを、取付金具を介して壁に取り付けることが行われている。例えば、特開２０００−２０９６８５号公報には、先ず取付金具を取付ねじにより壁面に固定し、次いでリモコン本体の後面ケースの四隅に設けられた矩形の切欠きに取付金具の爪部を挿入して、リモコンを着脱可能に取り付けることが記載されている。
【特許文献１】特開２０００−２０９６８５号公報
【発明の開示】
【発明が解決しようとする課題】
【０００３】
上記のようにしてリモコンを壁に取り付ける場合、取付ねじを用いて取付金具を固定する必要があるため、ドライバー等の工具が必要となって手間がかかると共に、壁に大きなねじ穴が開くという不都合がある。このようにねじ穴をあけることは、特に賃貸住宅等で好ましくないこととされている。
【０００４】
本発明は、上記問題点を解消し、工具を用いることなく容易に壁に取り付けることができ、また、取り付けによって壁にねじ穴が生じることのないリモコンを提供することを目的とする。
【課題を解決するための手段】
【０００５】
本発明（請求項１）のリモコンは、リモコンを壁に取り付けるための取付片を背面に備えたリモコンであって、該取付片は、長手方向の途中部分が軸心方向を該背面と平行方向とした軸支部を介して該リモコンに回動可能に取り付けられた回動体と、該回動体の長手方向の一端側に設けられた、壁に刺入可能なピンとを有し、該回動体は、その他端側が該背面から突出した姿勢と背面内に収容された退避姿勢とをとりうるものであり、該リモコンを壁に取り付けるときに該回動体の該他端側が壁面に当接して退避し、これにより回動体の一端側が壁面に向って移動し、該ピンが壁に刺入されるものであることを特徴とするものである。
【０００６】
請求項２のリモコンは、請求項１において、該回動体は、該一端側が軸支部よりも上側となるように配置されており、該ピンは、該リモコンを鉛直な壁に取り付けたときに基端側から先端側に向って下向きに傾斜するように該回動体に設けられていることを特徴とするものである。
【０００７】
請求項３のリモコンは、請求項２において、該リモコンの背面に凹所が設けられ、該回動体の大部分が該凹所内に配置されており、該リモコンの背面を鉛直としたときに該ピンが該凹所内に退避すると共に該回動体の該他端側が該リモコンの背面から突出するように該回動体の重心が設定されていることを特徴とするものである。
【０００８】
請求項４のリモコンは、請求項１において、該取付片は複数個設けられており、該取付片の少なくとも１つの第１の取付片は、回動体の長手方向が他の少なくとも１つの第２の取付片の回動体の長手方向と反対方向を指向するように設けられていることを特徴とするものである。
【０００９】
請求項５のリモコンは、請求項１ないし４のいずれか１項において、該他端側の壁面に当接する部分が湾曲面よりなることを特徴とするものである。
【発明の効果】
【００１０】
本発明（請求項１）のリモコンは、リモコンの背面に備えられた取付片がピンを有し、このピンを壁に刺入することによって、リモコンを壁に取り付けることができるため、該リモコンを壁に取り付けても壁にねじ穴が生じることがない。
【００１１】
本発明のリモコンを壁に取り付けるときには、該回動体の該他端側が壁面に当接して退避し、これにより回動体の一端側が壁面に向って移動し、該ピンが壁に刺入されるため、工具を用いることなく容易にリモコンを壁に取り付けることができる。
【００１２】
このリモコンの取付片は、長手方向の途中部分が軸心方向を該背面と平行方向とした軸支部を介して該リモコンに回動可能に取り付けられた回動体と、該回動体の長手方向の一端側に設けられた、壁に刺入可能なピンとを有し、該回動体は、その他端側が該背面から突出した姿勢と背面内に収容された退避姿勢とをとりうるものであるため、リモコンを壁に取り付けるときなどに誤って指等がピンを押してしまったとしても、回動体は軸支部を軸として、ピンが背面内に収容される方向に回動することから、ピンが指等に刺さって傷を負うことが防止される。
【００１３】
請求項２の通り、該回動体は、該一端側が軸支部よりも上側となるように配置されており、該ピンは、該リモコンを鉛直な壁に取り付けたときに基端側から先端側に向って下向きに傾斜するように該回動体に設けられている構成とした場合には、該リモコンを壁に取り付けたときに、ピンが壁に対し斜め下向きに刺し込まれることになる。この結果、リモコンの荷重はピンを壁に押し込む方向に作用することになり、リモコンを重力に対抗して壁にしっかりと保持しておくことが可能となる。
【００１４】
請求項３の通り、背面に凹所が設けられ、該回動体の大部分が該凹所内に配置されており、該リモコンの背面を鉛直としたときに該ピンが該凹所内に退避すると共に該回動体の該他端側が該リモコンの背面から突出するように該回動体の重心が設定されている構成とした場合には、リモコンが背面を上向きないし鉛直とする姿勢のときには、ピンが凹所内に退避している。このため、誤って指等がピンに触れることが防止され、安全に取付作業を行うことができる。
【００１５】
請求項４のリモコンにあっては、取付片は複数個設けられており、該取付片の少なくとも１つの第１の取付片は、回動体の長手方向が他の少なくとも１つの第２の取付片の回動体の長手方向と反対方向を指向するように設けられていることから、該取付片を壁に取り付けたときに第１の取付片のピンと第２の取付片のピンとが反対方向を指向することになる。これにより、リモコンが壁に強固に取り付けられる。
【００１６】
この態様では、例えば、第１の取付片のピンが壁に対し斜め下向きに刺し込まれ、第２の取付片のピンが壁に対し斜め上向きに刺し込まれるようにしてリモコンが壁に取り付けられる。この場合、第１の取付片のピンはリモコンに加えられる重力に対抗するように機能する。第２の取付片のピンは、リモコンに人の手や腕等が上向きに当ったりして上向きの力が加えられたときに壁に食い込もうとするようになる。そのため、リモコンに身体の一部が当ったり、地震力が作用したときでも、リモコンが壁にしっかりと保持され、脱落が防止される。
【００１７】
請求項５のリモコンは、回動体の他端側の壁面に当接する部分が湾曲面よりなるため、リモコンを壁に取り付ける際に該湾曲面が壁に押し付けられても、壁に押し傷が付くことが防止される。また、リモコンが壁に押し付けられてピンが壁に刺し込まれるに従って回動体が回動するが、このとき湾曲面の壁面と当接するポイントは該湾曲面に沿ってスムーズに摺動することから、リモコンの壁への取り付けが容易となる。
【発明を実施するための最良の形態】
【００１８】
以下、図面を参照して本発明の実施の形態を説明する。図１（ａ）は実施の形態に係るリモコンの背面側の斜視図、図１（ｂ）は図１（ａ）の取付片の背面図、図１（ｃ）は図１（ａ）の取付片の斜視図、図２（ａ）は図１（ａ）のリモコンを壁に取り付ける前の状態を示す縦断面図、図２（ｂ）は図１（ａ）のリモコンを壁に取り付けた後の状態を示す縦断面図である。
【００１９】
リモコン１の背面の上半側に、上下方向に細長く延在した凹所２が設けられており、この凹所２内に取付片１０が取り付けられている。
【００２０】
この取付片１０は、細長い略板形状の回動体１１と、該回動体１１の長手方向の途中部分の両側面に突設された丸棒状の軸支部１２と、該回動体１１の上端側の表面に設けられたピン１３と、該回動体１１の上端側の裏面に設けられた重り１５とを有している。
【００２１】
該回動体１１の下端側は表面側に突出して凸部１４となっており、該凸部１４の表面は湾曲面１４ａとなっている。
【００２２】
この取付片１０の軸支部１２を、凹所２の側壁に設けられた凹孔（図示略）に嵌合させることにより、取付片１０が凹所２に回動可能に取り付けられている。取り付けられた状態において、軸支部１２の軸方向はリモコン１の背面と平行方向となっている。
【００２３】
このように構成されたリモコン１を壁２０に取り付ける際には、先ずリモコン１を正規の上下方向姿勢とし、該リモコン１の背面を壁２０に押し付ける。この際、取付片１０が図２（ａ）の状態になっていると、背面から突出している凸部１４が、先ず壁２０に当接する。さらにリモコン１を壁２０に押し付けると、取付片１０は、その凸部１４が凹所２内に退避し、そのピン１３が凹所２から突出する方向に回動する。そして、該ピン１３が壁２０に徐々に刺し込まれる。
【００２４】
なお、リモコン１の背面を壁２０に押し付けるに際し、取付片１０の上側が凹所２から突出し、下側の湾曲部１４ａが凹所２内に退避している場合もある。この場合、リモコン１の背面を壁２０に当てると、取付片１０は、ピン１３が壁２に押されることにより、図２（ａ）のように上側が凹所２０内に引込み、湾曲部１４ａが凹所２から突出する。その後は、図２（ｂ）のようにピン１３が壁２に刺し込まれてリモコン１が壁２に取り付けられる。
【００２５】
図２（ｂ）の通り、リモコン１を、その背面が壁２０に当接するまで壁２０に押し付けることにより、リモコン１の壁２０への取付作業が完了する。
【００２６】
本実施の形態に係るリモコン１は、ピン１３を壁２０に刺し込むことによって、リモコン１を壁２０に取り付けることができる。このため、取付ねじを用いる必要がなく、壁２０に大きなねじ穴が生じることが防止される。
【００２７】
このリモコン１によると、工具を用いることなく容易にリモコン１を壁２０に取り付けることができる。
【００２８】
このリモコン１の回動体１１は回動可能となっているため、リモコン１を持ち運ぶときなどに誤って手や腕等がピン１３に触れてしまったとしても、回動体１１が回動してピン１３が凹所２内に退避することから、ピン１３が手等に刺し込まれて手等に傷を負うことが防止される。
【００２９】
図２（ｂ）の通り、リモコン１の壁２０への取り付けが完了した状態において、取付片１０はその上端側が右側に傾き、該上端側から垂直に突設されているピン１３は壁２０に対し斜め下向きに刺し込まれることになる。この結果、リモコン１の荷重はピン１３を壁２０に押し込む方向に作用することになることから、リモコン１を重力に対抗して壁２０にしっかりと保持しておくことが可能となる。
【００３０】
この回転体１１の上端側の裏面には、重り１５が設けられている。このため、図２（ａ）の通り、リモコン１を鉛直とした状態において、一度取付片１０をそのピン１３が凹所２内に退避する姿勢にすると、この重り１５の重力によって取付片１０の上端側が凹所２内に保持される。従って、誤って指等がピン１３に触れることが防止され、安全に取付作業を行うことができる。なお、ピン１３が凹所２から突出している状態にあるときに該ピン１３に触れても、該ピン１３は凹所２内に引っ込むので、指に刺さることはない。
【００３１】
このリモコン１は、凸部１４の表面が湾曲面１４ａよりなるため、リモコン１を壁２０に取り付ける際に該湾曲面１４ａが壁２０に押し付けられても、壁２０に押し傷が付くことが防止される。また、リモコン１が壁２０に押し付けられてピン１３が壁２０に刺し込まれるに従って回動体１１が回動するが、このとき，湾曲面１４ａの壁２０と当接するポイントは、湾曲面１４ａに沿ってスムーズに摺動する。このため、リモコン１の壁２０への取り付けが容易となる。
【００３２】
上記実施の形態では取付片１０を１個のみ設けているが、図３（ａ）〜（ｄ）の通り、取付片を複数個設けてもよい。図３（ａ）〜（ｄ）は取付片を複数個備えたリモコン１Ａ〜１Ｄの背面図である。
【００３３】
図３（ａ）のリモコン１Ａは、その背面の四隅に凹所２Ａが設けられている。これら凹所２Ａは、長径方向がリモコン１Ａの上下方向を向くように配置されている。各凹所２Ａ内に取付片１０が取り付けられている。上側の１対の凹所２Ａに取り付けられた第１の取付片１０（１０Ａ）は、ピン１３が上側となるように配置されており、下側の１対の凹所２Ａに取り付けられた第２の取付片１０（１０Ｂ）は、ピン１３が下側となるように配置されている。なお、第１の取付片１０Ａ及び第２の取付片１０Ｂの構成は、図１（ｃ）に図示されたものと同様である。
【００３４】
このリモコン１Ａを壁に取り付けると、第１の取付片１０Ａのピン１３が壁に対し斜め下向きに刺し込まれ、第２の取付片１０Ｂのピン１３が壁に対し斜め上向きに刺し込まれるようにしてリモコン１Ａが壁に取り付けられる。この場合、第１の取付片１０Ａのピン１３はリモコン１Ａに加えられる重力に対抗するように機能する。第２の取付片１０Ｂのピン１３は、リモコン１Ａに人の手や腕等が上向きに当ったりして上向きの力が加えられたときに壁に食い込もうとするようになる。そのため、リモコン１Ａに身体の一部が当ったり、地震力が作用したときでも、リモコン１Ａが壁にしっかりと保持され、脱落が防止される。
【００３５】
なお、図３（ｂ）のリモコン１Ｂのように、第１の取付片１０Ａをそのピン１３が下側となるように配置し、第２の取付片１０Ｂをそのピン１３が上側となるように配置しても、図３（ａ）と同様の効果を得ることができる。
【００３６】
図３（ｃ）のリモコン１Ｃは、その背面の四隅に凹所２Ｂが設けられている。これら凹所２Ｂは、長径方向がリモコン１Ｃの左右方向を向くように配置されている。各凹所２Ｃ内に取付片１０が取り付けられている。左側の１対の凹所２Ｂに取り付けられた第１の取付片１０（１０Ｃ）は、ピン１３が上側となるように配置されており、右側の１対の凹所２Ｂに取り付けられた第２の取付片１０（１０Ｄ）は、ピン１３が右側となるように配置されている。なお、第１の取付片１０Ｃ及び第２の取付片１０Ｄの構成は、図１（ｃ）に図示されたものと同様である。
【００３７】
このリモコン１Ｃを壁に取り付けると、第１の取付片１０Ｃのピン１３が壁に対して図３（ｃ）の斜め右向きに刺し込まれ、第２の取付片１０Ｄのピン１３が壁に対して図３（ｃ）の斜め左向きに刺し込まれるようにしてリモコン１Ｃが壁に取り付けられる。この場合、第１の取付片１０Ｃのピン１３は、リモコン１Ａの図３（ｃ）における右向きに力が加えられたときに壁に食い込もうとする。また、第２の取付片１０Ｄのピン１３は、リモコン１Ａの図３（ｃ）における左向きに力が加えられたときに壁に食い込もうとする。そのため、リモコン１Ｃに身体の一部が当ったり、地震力が作用したときでも、リモコン１Ｃが壁にしっかりと保持され、脱落が防止される。
【００３８】
なお、図３（ｄ）の通り、第１の取付片１０Ｃをそのピン１３が右側となるように配置し、第２の取付片１０Ｄをそのピン１３が左側となるように配置しても、図３（ｃ）と同様の効果を得ることができる。
【図面の簡単な説明】
【００３９】
【図１】図１（ａ）は実施の形態に係るリモコンの背面側の斜視図であり、図１（ｂ）は図１（ａ）の取付片の背面図、図１（ｃ）は図１（ａ）の取付片の斜視図であり、図２（ａ）は図１（ａ）のリモコンを壁に取り付ける前の状態を示す縦断面図である。
【図２】図２（ａ）は図１（ａ）のリモコンを壁に取り付ける前の状態を示す縦断面図であり、図２（ａ）は図１（ａ）のリモコンを壁に取り付けた後の状態を示す縦断面図である。
【図３】取付片を複数個備えたリモコン１Ａ〜１Ｄの背面図である。
【符号の説明】
【００４０】
１，１Ａ，１Ｂ，１Ｃ，１Ｄ  リモコン
２，２Ａ，２Ｂ  凹所
１０，１０Ａ，１０Ｂ，１０Ｃ，１０Ｄ  取付片
１１  回動体
１２  軸支部
１３  ピン
１４  凸部
１４ａ  湾曲面
１５  重り
【図１】
2006101165.tif 000003
【図２】
2006101165.tif 000004
【図３】
2006101165.tif 000005